(57)【特許請求の範囲】
【請求項１】
本体(12,24)の内部に貯蔵室(14)と機械室(28)とが仕切壁(30)を挟んで上下の関係で形成され、下方の機械室(28)に、圧縮機(48)や凝縮器(44)等が移動台(42)に配置された冷却ユニット(26)が出入口(36)を介して引出し可能に収納される貯蔵庫において、
前記機械室(28)の内底面(18)に、該機械室(28)に前記冷却ユニット(26)を収納した際に前記凝縮器(44)における空気の吸込側を囲繞するダクト(50)が立設され、該ダクト(50)により前記仕切壁(30)を支え受け得るよう構成した
ことを特徴とする貯蔵庫。
【請求項２】
前記ダクト(50)は、凝縮器(44)の吸込側を向く面が開口する箱状に構成されると共に、冷却ユニット(26)の機械室(28)に対する出入口(36)側に臨む前板(58)が着脱可能に構成され、該前板(58)を取外すことで冷却ユニット(26)の出し入れを許容するようにした請求項１記載の貯蔵庫。
【発明の詳細な説明】
【０００１】
【発明の属する技術分野】
この発明は、本体の内部に貯蔵室と機械室とが上下の関係で形成され、下方の機械室に対し、冷却ユニットを引出し可能に収納し得るよう構成した貯蔵庫に関するものである。
【０００２】
【従来の技術】
食料品店やコンビニエンスストア等で、食品や飲料品等の貯蔵物を冷蔵状態で収納して陳列する冷蔵ショーケース(貯蔵庫)が好適に使用されている。この冷蔵ショーケースは、内箱と外箱との間にウレタン等の発泡断熱材を充填してなる断熱箱体の内部に、前記貯蔵物の貯蔵室が画成される。また断熱箱体の前部には、前方に開放する矩形状の開口部が開設され、この開口部の内周上部および下部に配設された上レールおよび下レール間に、該開口部を開閉する前および後のスライド扉がスライド可能に支持されている。
【０００３】
前記断熱箱体は、機械室を内部に画成したシャーシに載置され、該機械室に配設した冷却ユニットから断熱箱体の内部上方に配設した冷却器に冷媒を循環供給することで、前記貯蔵室を冷却するよう構成してある。前記冷却ユニットは、組立ての作業性を考慮して、前記機械室に開設された出入口を介して正面側から引出し可能に収納し得るよう構成され、その収納位置において前記シャーシに位置決め固定されるようになっている。
【０００４】
【発明が解決しようとする課題】
前記機械室の出入口における開口高さ寸法、すなわち機械室の内底面と断熱箱体の外底面との間の離間寸法は、前記冷却ユニットの出し入れを許容し得る値に設定する必要がある。従来は、冷却ユニットの組立て寸法の誤差による該ユニット自体の高さ寸法のバラツキの他に、前記開口部に配設されたスライド扉や貯蔵室に収納された貯蔵物等の荷重により貯蔵室と機械室とを仕切る箱体底部が撓むことを考慮して、前記出入口の開口高さ寸法を設定している。従ってこの場合は、冷却ユニットの高さ寸法に対して出入口の開口高さ寸法が大きくなり、冷蔵ショーケース自体の全高が大きくなったり、あるいは該ショーケースの全高を変更しなければ貯蔵室の容積が小さくなる等の難点が指摘される。
【０００５】
なお、前記箱体底部が撓むのを防止するために、該底部の厚みを増やすことで撓み量を低減することは可能であるが、この場合は箱体補強のために製造コストが嵩む問題を招く。しかも、箱体底部を厚みを増やす場合は、前述したと同様に厚みの増加分だけ冷蔵ショーケース自体の全高が大きくなったり、あるいは貯蔵室の容積が小さく欠点がある。
【０００６】
【発明の目的】
本発明は、前述した従来の技術に内在している前記課題に鑑み、これを好適に解決するべく提案されたものであって、貯蔵室と機械室とを仕切る仕切壁の補強をコストを上昇させることなく行なうと共に、貯蔵庫が大型化したり貯蔵室の容積が小さくなるのを防止し得る貯蔵庫を提供することを目的とする。
【０００７】
【課題を解決するための手段】
前記課題を克服し、所期の目的を達成するため、本発明に係る貯蔵庫は、
本体の内部に貯蔵室と機械室とが仕切壁を挟んで上下の関係で形成され、下方の機械室に、圧縮機や凝縮器等が移動台に配置された冷却ユニットが出入口を介して引出し可能に収納される貯蔵庫において、
前記機械室の内底面に、該機械室に前記冷却ユニットを収納した際に前記凝縮器における空気の吸込側を囲繞するダクトが立設され、該ダクトにより前記仕切壁を支え受け得るよう構成したことを特徴とする。
【０００８】
【発明の実施の形態】
次に、本発明に係る貯蔵庫につき、好適な実施例を挙げて、添付図面を参照しながら以下説明する。図１および図２に示す如く、実施例に係る貯蔵庫としての冷蔵ショーケース１０は、内装板と外装板との間にウレタン等の発泡断熱材を充填してなる断熱箱体１２の内部に、食材等の貯蔵物を冷却貯蔵するための貯蔵室１４が形成されると共に、該断熱箱体１２の前部には、前方に開放する矩形状の開口部１２ａが形成されている。この開口部１２ａには、前および後のスライド扉１６,１６がスライド可能に配設され、両扉１６,１６により開口部１２ａが開閉されるよう構成してある。
【０００９】
前記断熱箱体１２は、ベース１８に複数の支柱２０や梁材２２を組付けて箱枠状に構成されたシャーシ２４(図３,図４参照)に載置されており、このシャーシ２４の内部に、冷却ユニット２６が収納される機械室２８が形成されるようになっている。すなわち、実施例の冷蔵ショーケース１０では、断熱箱体１２とシャーシ２４とで本体が構成されると共に、この本体の内部に貯蔵室１４と機械室２８とが、断熱箱体１２の底部(仕切壁)３０を挟んで上下の関係で形成してある。前記シャーシ２４には、側面パネル３２,３２、背面パネル３４および前面パネル(図示せず)が着脱可能に配設されて機械室２８を覆うようになっており、該前面パネルを取外すことで、その前部に出入口３６が開口するよう構成される。そしてこの出入口３６を介して、冷却ユニット２６が機械室２８から引出し可能に収納されるよう構成してある。なお、前記ベース１８の外底面には、設置床面との間に所定の隙間を設けるための複数の脚３８が配設されている。
【００１０】
前記断熱箱体１２の内部上方に、前記冷却ユニット２６から冷媒が循環供給される冷却器や冷気循環装置(何れも図示せず)等が配設され、冷気循環装置により送気される冷気によって、前記貯蔵室１４を冷却するよう構成してある。
【００１１】
前記シャーシ２４のベース１８上に、前後方向に所定長さで延在する一対のガイドレール４０,４０が幅方向に離間して平行に配設され、両ガイドレール４０,４０に沿って冷却ユニット２６の移動台４２が前後動可能に載置されるよう構成される。この移動台４２には、図１に示す如く、凝縮器４４、凝縮器用ファン４６および圧縮機４８が、幅方向に順(実施例では右から左へ順)に配置してある。そして、ガイドレール４０,４０に沿って機械室２８の収納位置まで押込まれた冷却ユニット２６の移動台４２は、ガイドレール４０,４０またはベース１８に対してネジ止め固定されるようになっている。なお、各ガイドレール４０の後端部にストッパ４０ａが形成され(図４参照)、移動台４２は該ストッパ４０ａに後端が当接することで位置決めされる。
【００１２】
前記機械室２８の収納位置に位置決めされた冷却ユニット２６における凝縮器４４の右側部(吸込側)に対応する位置に、凝縮器用のダクト５０がベース(機械室の内底面)１８に立設されている。このダクト５０は、図３および図４に示す如く、背板５２、右の側板５４、天板５６および前板５８からなり、凝縮器４４の吸込側を向く左側面が開口する箱状に構成されて、凝縮器４４の吸込側を囲繞するよう構成される。なお、背板５２および右の側板５４の下端縁に脚部５２ａ,５４ａが折曲形成され、該脚部５２ａ,５４ａがベース１８にネジ止め固定されている。また前板５８は、右の側板５４および天板５６の前端縁に折曲形成されたフランジ５４ｂ,５６ａに対して着脱可能にネジ止めされており、機械室２８に対して冷却ユニット２６を出し入れする時には、該前板５８を取外し得るよう構成してある。
【００１３】
前記シャーシ２４のベース１８には、図４に示す如く、前記ダクト５０の内側に臨む位置に複数の吸気孔１８ａが穿設されると共に、前記収納位置に位置決めされた冷却ユニット２６における圧縮機４８の下方に臨む位置に複数の排気孔１８ｂが穿設されている。そして、前記凝縮器用ファン４６を回転した際には、吸気孔１８ａからダクト５０の内部に吸引されたベース下部の空気が、前記凝縮器４４の吸込側(右側)から吹出側(左側)へ通過する過程で、該凝縮器４４が空冷され、この空冷後の空気が前記圧縮機４８を空冷した後に、前記排気孔１８ｂからベース下部に排出されるようになっている。なお、前記移動台４２における圧縮機４８の配設位置下部に複数の通孔(図示せず)が穿設され、圧縮機４８を空冷した後の空気の円滑な排出を許容するよう構成してある。
【００１４】
前記ダクト５０の高さは、前記断熱箱体１２における箱体底部３０の外底面に前記天板５６が当接する寸法に設定され、前記スライド扉１６,１６や貯蔵室１４に貯蔵される貯蔵物等の荷重によって箱体底部３０が下方に撓んだ際に、該底部３０をダクト５０で支え受けるよう構成される。すなわち、前記出入口３６における開口高さ寸法、すなわち前記ガイドレール４０,４０における移動台４２の載置面と箱体底部３０の外底面との間の離間寸法は、冷却ユニット２６の組立て寸法の誤差による該ユニット自体の高さ寸法のバラツキのみを考慮して、冷却ユニット２６が出し入れ可能な値に設定されている。
【００１５】
【実施例の作用】
次に、実施例に係る冷蔵ショーケースの作用につき説明する。前記シャーシ２４から前面パネルを取外して出入口３６を開放した状態で、前記冷却ユニット２６の移動台４２を一対のガイドレール４０,４０に沿って機械室２８に押し込み、前記ストッパ４０ａ,４０ａで規制された収納位置に該ユニット２６を位置決めする。なお、このとき前記ダクト５０の前板５８は取外されており、冷却ユニット２６における凝縮器４４の吸込側は、ダクト５０における天板５６の下方位置に至る。この状態で、前記冷却ユニット２６をガイドレール４０,４０にネジ止め固定すると共に、ダクト５０の前側に前板５８をネジ止め固定することで、凝縮器４４の吸込側は、該ダクト５０の背板５２、右の側板５４、天板５６および前板５８により囲繞される。
【００１６】
前記シャーシ２４に前面パネルを取付けた後、前記凝縮器用ファン４６を回転させると、前記ベース１８に穿設した複数の吸気孔１８ａを介してベース下方の空気がダクト５０内に吸込まれる。この空気は、凝縮器４４の吸込側から吸込まれて熱交換を行なった後、凝縮器用ファン４６から圧縮機４８に向けて吹出され、該圧縮機４８との間で熱交換した後に、ベース１８に穿設した複数の排気孔１８ｂを介してベース下方の外部に排出される。
【００１７】
前述したように、前記凝縮器４４の吸込側はダクト５０により囲繞されているから、凝縮器用ファン４６から吹出された熱交換後の空気が、隙間を移動して凝縮器４４の吸込側から再び吸込まれる回り込み現象を有効に防止し得る。これにより、機械室内での過熱による凝縮器４４や圧縮機４８等の発熱部の冷却不足を防止し、凝縮器４４や圧縮機４８等の効率的な運転を達成することができる。
【００１８】
また前記ダクト５０は、その天板５６が前記箱体底部３０に当接するよう高さ寸法が設定されているから、該箱体底部３０が前記スライド扉１６,１６や貯蔵物等の荷重により下方に撓んだ際に、これを該ダクト５０で支え受けることができる。すなわち、前記冷却ユニット２６を機械室２８に対して出し入れするための出入口３６の開口高さ寸法を、該ユニット２６の組立て寸法の誤差による高さ寸法のバラツキのみを考慮して設定することができる。従って、冷蔵ショーケース１０自体の全高が大きくなったり、あるいは貯蔵室１４の容積が小さくなるのを防ぐことができる。また、ダクト５０が補強材を兼用しているから、別途補強材を用いることで部品点数が増えたりコストが嵩むのを防止し得る。
【００１９】
実施例では、ベースに穿設した吸気孔および排気孔を介して冷却ユニットの空冷用空気を流通するよう構成したが、シャーシに配設される側面パネル、背面パネルあるいは前面パネルに吸気孔や排気孔を穿設して空冷用空気を流通させる構成を採用し得る。また、機械室に対して冷却ユニットを側方あるいは後方から出し入れする構成であってもよく、該ユニットを機械室に収納した際に凝縮器の吸込側を囲繞するようにダクトが配設されていればよい。なお実施例では、断熱箱体とシャーシとの別部材から本体を構成したが、該本体は一体物であってもよく、その内部に仕切壁により貯蔵室と機械室とが上下に仕切られていればよい。
【００２０】
【発明の効果】
以上説明した如く、本発明に係る貯蔵庫によれば、冷却ユニットにおける凝縮器用のダクトを機械室の内底面に立設し、該ダクトにより貯蔵室と機械室とを仕切る仕切壁を支え受け得るよう構成したから、冷却ユニットの出入口の開口高さ寸法を、該ユニットの組立て誤差による高さ寸法のバラツキのみを考慮して設定することができ、貯蔵庫が大型化したり貯蔵室の容積が小さくなるのを防止し得る。また、ダクトを補強材として兼用しているから、補強のための部材を別途配設する必要はなく、部品点数を低減してコストを低廉に抑えることができる。更に、ダクトにおける機械室の出入口側に臨む前板を着脱可能に構成したので、該前板を取外すことで冷却ユニットの出し入れを許容し得る。
【図面の簡単な説明】
【図１】  本発明の実施例に係る冷蔵ショーケースから前面パネルを取外した状態で示す要部正面図である。
【図２】  実施例に係る冷蔵ショーケースから前面パネルを取外した状態で示す全体の正面図である。
【図３】  実施例に係るシャーシの正面図である。
【図４】  実施例に係るシャーシの平面図である。
【符号の説明】
１２ 断熱箱体(本体)，１４ 貯蔵室，１８ 内底面，２４ シャーシ(本体)
２６ 冷却ユニット，２８ 機械室，３０ 箱体底部(仕切壁)，３６ 出入口
４２ 移動台，４４ 凝縮器，４８ 圧縮機，５０ ダクト，５８ 前板
【図１】
0003842634.tif 000002
【図２】
0003842634.tif 000003
【図３】
0003842634.tif 000004
【図４】
0003842634.tif 000005